(57)【要約】【課題】サーバ情報が付加された受信メールを一度表示した後、再度見る場合に、サーバ情報を表示しないようにすることができ、またはサーバ情報を削除することができる携帯無線端末装置を提供する。【解決手段】メールサーバを介してメールの送受信を行う携帯無線端末装置において、ユーザによってメール作成やメール送受信の操作が行われる操作部と、メール作成や送受信メールの情報を表示する表示部と、送受信メールを記憶する記憶部と、メールを無線で送受信する無線部と、前記操作部からの指示が伝達されて、情報を前記表示部へ出力し、前記記憶部および前記無線部に対してメールの入出力をする制御部と、受信したメールを一度表示した後、再度受信メールを表示するときに前記メールサーバからのサーバ情報を非表示にするサーバ情報表示処理部と、を備える。【選択図】図３
2010068337.tif 000002
【特許請求の範囲】
【請求項１】
メールサーバを介してメールの送受信を行う携帯無線端末装置において、
ユーザによってメール作成やメール送受信の操作が行われる操作部と、
メール作成や送受信メールの情報を表示する表示部と、
送受信メールを記憶する記憶部と、
メールを無線で送受信する無線部と、
前記操作部からの指示が伝達されて、情報を前記表示部へ出力し、前記記憶部および前記無線部に対してメールの入出力をする制御部と、
受信したメールを一度表示した後、再度受信メールを表示するときに前記メールサーバからのサーバ情報を非表示にするサーバ情報表示処理部と、
を備えたことを特徴とする携帯無線端末装置。
【発明の詳細な説明】
【技術分野】
【０００１】
本発明は、メールサーバを介してメールの送受信を行う携帯無線端末装置に関するものであり、特に、携帯無線端末装置における受信メールの表示機能に関するものである。
【背景技術】
【０００２】
近年、携帯無線端末を使用して、ユーザ同士のメール送受信が極めて頻繁に行われている。従来、携帯無線端末間において、メールサーバを介したメールの送受信を行う携帯無線システムの一例として、特許文献１に記載されている技術がある。特許文献１に開示されている携帯無線システムの構成について、図１、図２を参照して説明する。
【０００３】
図１に示すように、この携帯無線システムは、それぞれネットワーク３０で接続された基地局２Ａと基地局２Ｂとメールサーバ４０と、基地局２Ａのエリア内に存在する携帯無線端末１Ａと、基地局２Ｂのエリア内に存在する携帯無線端末１Ｂとで構成される。図１では、基地局が２個示されているが、１個であってもよく、また３個以上存在していても良い。また、それぞれの基地局のエリア内に携帯無線端末が１個存在しているが、複数個存在していても良い。以下、説明のため、メールを送信する携帯無線端末を携帯無線端末１Ａ、メールを受信する携帯無線端末を携帯無線端末１Ｂとする。
【０００４】
次に、メールサーバ４０の構成について説明する。図２は、従来の携帯無線システムにおけるメールサーバの構成の一例を示すブロック図である。図２に示すように、メールサーバ４０は、送受信部４１、制御部４２、および記憶部４３で構成される。
【０００５】
次に、携帯無線端末１Ａが携帯無線端末１Ｂ宛のメールを送信した場合の、メールサーバ４０の動作について説明する。まず、メールサーバ４０において、送受信部４１は、基地局２Ａとネットワーク３０を介して、携帯無線端末１Ａからのメールを受信し、制御部４２へ出力する。制御部４２は、メールを記憶部４３へ出力し、記憶部４３はメールを保管する。次に、携帯無線端末１Ｂへメールを送信できる状態になっていれば、記憶部４３は制御部４２へメールを出力し、制御部４２はメールの送信を送受信部４１へ指示する。すると送受信部４１は、ネットワーク３０と基地局２Ｂを介して、携帯無線端末１Ｂへメールを送信する。
【０００６】
次に、携帯無線システムの動作について説明する。まず、携帯無線端末１Ａから送信されたメールは、基地局２Ａとネットワーク３０を介して、無線通信事業者が管理するメールサーバ４０へ一旦保管される。メールサーバ４０で保管されたメールは、予め設定されたパケット送信条件が満たされた時点で、ネットワーク３０と基地局２Ｂを介して、携帯無線端末１Ｂへ配信される。ここで、例えば、携帯無線端末１Ｂの電波状態が悪かったり、ユーザが携帯無線端末１Ｂの電源を切っていたり、携帯無線端末１Ｂが圏外に存在する等の理由で、メールサーバ４０が携帯無線端末１Ｂへメールを配信できない場合がある。この場合は、メールサーバ４０が携帯無線端末１Ｂ宛のメールを保管し、携帯無線端末１Ｂからメールサーバ４０への問い合わせがあった時、または携帯無線端末１Ｂに対して別のメールを配信する時などに、保管していたメールを配信する。
【０００７】
また、迷惑メールが携帯無線端末１Ｂへ配信されないように設定されていたとすると、携帯無線端末１Ｂ宛の迷惑メールは、すべてメールサーバ４０内に一時保管されることになる。一般的に、保管された迷惑メールはユーザが適宜削除することになっているが、メールサーバ４０側で、ある一定の期間が経過した際に、自動的に削除するように設定されている場合もある。
【０００８】
【特許文献１】特開２００３−２８３５６６号公報
【発明の開示】
【発明が解決しようとする課題】
【０００９】
しかしながら、不要なメールの削除をユーザが行わない状態で、メールサーバ４０内に不要なメールが蓄積されると、メールサーバ４０に保管される携帯無線端末１Ｂ宛のメールの量が増加していき、メールサーバ４０における携帯無線端末１Ｂ用に設定された記憶部４３の空き容量が少なくなる。ユーザ毎のメールサーバ４０内に保有できるメール件数を超えてしまうような現象を起こさないために、メールサーバ４０はメールの蓄積状況を定期的に確認し、蓄積可能限界数が近づいた場合に、携帯無線端末１Ｂへ通知を行う。
【００１０】
その場合、メールサーバ４０は、携帯無線端末１Ｂへ新規に配信する正常なメールの先頭に、メールサーバの空き容量が少なくなったというような内容のサーバ情報（以下、サーバ情報と略称する）を自動的に付加して送信する。しかしながら、本来のメール内容とは無関係のサーバ情報を正常なメールに貼り付けられると、メールは読みづらく、わかりにくいものとなり、読み手が混乱してしまうこともある。また、携帯無線端末１Ｂの表示画面は小さいので、サーバ情報が貼り付けられていると、本来のメール内容を読むために、画面をスクロールしなければならなくなり、手間が増えてしまう。
【００１１】
さらに、一度受信メールに付加されたサーバ情報は、従来の携帯無線端末１Ｂでは、メールから削除することができない。したがって、携帯無線端末１Ｂ側で受信メールを読むたびにサーバ情報が先頭に表示されてしまい、メール閲覧がわずらわしくなる。
【００１２】
本発明は上記課題に着目してなされたものであり、本発明の目的は、サーバ情報に煩わされることのない携帯無線端末装置を提供することである。
【００１３】
本発明の他の目的は、サーバ情報が付加された受信メールを一度表示した後、再度見る場合に、サーバ情報を表示しないようにすることができる携帯無線端末装置を提供することである。
【００１４】
本発明の更に他の目的は、受信メールからサーバ情報を削除することができる携帯無線端末装置を提供することである。
【課題を解決するための手段】
【００１５】
上記課題を解決するために、本発明は、メールサーバを介してメールの送受信を行う携帯無線端末装置において、
ユーザによってメール作成やメール送受信の操作が行われる操作部と、
メール作成や送受信メールの情報を表示する表示部と、
送受信メールを記憶する記憶部と、
メールを無線で送受信する無線部と、
前記操作部からの指示が伝達されて、情報を前記表示部へ出力し、前記記憶部および前記無線部に対してメールの入出力をする制御部と、
受信したメールを一度表示した後、再度受信メールを表示するときに前記メールサーバからのサーバ情報を非表示にするサーバ情報表示処理部と、
を備えたことを特徴とする。
【００１６】
また、前記携帯無線端末装置において、サーバ情報のデータ自体を受信メールから削除するサーバ情報削除部を備えたことを特徴とする。
【発明の効果】
【００１７】
本発明の携帯無線端末装置によれば、サーバ情報に煩わされることのない携帯無線端末装置を実現できる。また、一度サーバ情報を表示して内容を確認した後は、サーバ情報が表示されないように設定でき、また、必要に応じてサーバ情報を削除できるので、受信メールの再表示のときに、サーバ情報を不必要に見なくて済むという特徴がある。更に、画面をスクロールする手間が省け、容易に本来のメッセージ閲覧をすることが可能になる。また、受信メールからサーバ情報を削除すれば、受信メールを保存する際に、不要なデータ（サーバ情報）を記録する必要がなく、携帯無線端末装置内のメモリ容量の節約ができる等、効果が極めて大きい。
【発明を実施するための最良の形態】
【００１８】
以下、本発明による携帯無線端末装置の好適な実施の形態について、図面を参照して説明する。なお、本発明の一実施例に係る携帯無線システム、およびメールサーバの構成は前記の従来例と同一であり、ここでの説明を省略する。
【００１９】
図３は、本発明の一実施例による携帯無線端末装置の概略構成を示すブロック図である。図３に示すように、携帯無線端末装置１０は、アンテナ１１、無線部１２、操作部１３、制御部１４、記憶部１５、表示部１６、スピーカ１７、およびマイク１８で構成される。制御部１４には、サーバ情報表示処理部１４aが設けられている。
【００２０】
以下に、携帯無線端末装置１０の動作について説明する。メール送信時において、操作部１３は、ユーザからのメール作成やメール送信の操作を受け付け、制御部１４へ信号を出力する。このとき制御部１４は操作に必要な情報を表示部１６へ伝送し、表示部１６は操作情報を表示する。制御部１４は、メール作成の操作が行われた時、作成されたメールを記憶部１５へ記憶する。また、制御部１４は、メール送信の操作が行われた時、送信するメールを記憶部１５から読み出し、無線部１２へ出力する。無線部１２は、送信するメールの送信処理を行い、無線信号に変換して、アンテナ１１へ出力する。アンテナ１１は、無線部１２の出力信号を図示しない基地局へ出力する。
【００２１】
メール受信時において、アンテナ１１は、図示しない基地局からの無線信号を受信し、無線部１２へ出力する。無線部１２は、アンテナ１１からの出力信号の受信処理および所定の信号処理を行い、受信したメールを制御部１４へ出力する。制御部１４は、受信したメールを記憶部１５へ記憶する。操作部１３は、ユーザからのメール閲覧の操作を受け付け、制御部１４へ出力する。メール閲覧の操作が行われると、制御部１４は、受信したメールを記憶部１５から読み出し、表示部１６へ出力する。表示部１６は、受信したメールを表示する。ユーザが操作部１３を操作して、制御部１４のサーバ情報表示処理部１４aを機能させると、表示部１６に後述の「サーバ情報表示設定」画面が表示される。
【００２２】
本実施例では、サーバ情報をユーザに知らせる際に、ユーザの受信メールを使用し、システムがサーバ情報を自動的に受信メールに付加するメールシステムを採用している。これについては後述する。
【００２３】
また、携帯無線端末装置間の音声通話時において、マイク１８は、ユーザからの音声を受け付け、電気信号に変換して制御部１４へ出力する。また、スピーカ１７は、他の携帯無線端末装置から受信した電気信号を音声に変換し、音声をユーザへ出力する。
【００２４】
図４は、本発明の一実施例の考え方を説明するための図である。まず、図４（ａ）は、ユーザが受信した受信メール表示画面４００の一実施例であり、サーバ情報が付加されたメッセージを表示した例である。受信メール表示画面４００は、送信者情報表示領域４０１、サーバ情報付加領域４０２、ユーザデータ表示領域（メールメッセージ表示）４０３、および画面制御領域４０４で構成されている。画面制御領域４０４は、ユーザが次の動作を指示するためのボタンを表示する領域である。本実施例では、本来のメールメッセージとは無関係の情報が表示されるサーバ情報付加領域４０２は、ユーザデータ表示領域４０３の上または前に表示される。
【００２５】
前にも説明したように、携帯無線端末装置１０は、受信メール表示画面４００が小さいため、サーバ情報付加領域４０２が表示されると、送信された本来のメッセージ内容は一部分しか表示されず、本来のメッセージ内容の全体を見るためには、画面をスクロールしなければならないという状態になっている。
【００２６】
図４（ｂ）は、メール受信一覧表示中の内容確認画面４０７の表示例であり、受信一覧表示画面４０８の下部に数行でメール内容が表示される。しかし、メッセージはメールの先頭から表示されるので、ここではサーバ情報付加領域４０５しか表示されず、この画面では本来のユーザデータ表示領域４０３が全く表示されず、メールメッセージ内容の確認ができない。従って、送信された本来のメッセージ内容を読むには、画面をスクロールしなければならない。
【００２７】
上述したような不都合をなくすために、図４（ｃ）には、受信メールの再表示（２回目以降の表示）のときにサーバ情報を表示しないようにするための機能を設定する「サーバ情報表示設定」画面４０９を設けた一実施例を示す。ユーザが、図３に示した操作部１３を操作して、制御部１４のサーバ情報表示処理部１４aを機能させることによって、表示部１６に「サーバ情報表示設定」画面４０９を表示させる。この画面上に表示されるサーバ情報表示部４０６における、「サーバ情報非表示」の前の○にチェックマーク●を付けることにより、「サーバ情報非表示」を選択してアクティブにすると、携帯無線端末装置１０内部にインストールされたソフトウエア（図示せず）によって、受信メールにおける不要なサーバ情報を、次回以降の表示画面から表示しないように処理する。
【００２８】
即ち、上記処理は、サーバ情報が付加されているかどうかを、サーバ情報付加領域を見て判断するため、サーバ情報付加領域を表示するか否かを設定によって決めることで実現できる。また、２度目以降の表示については、未読か既読かのフラグを確認すれば、２度目以降は表示しないことが可能になる。
【００２９】
それによって、その受信メールを再表示したときに、メールサーバからの情報を不必要に見なくて済み、画面をスクロールする手間が省け、容易に本来のメッセージ閲覧をすることが可能になる。
【００３０】
また、本実施例では図示しないが、サーバ情報表示処理部１４aの機能として、サーバ情報のデータ自体を受信メールから完全に削除するサーバ情報削除部を、「サーバ情報表示設定」画面４０９上に設けることもできる。サーバ情報削除部における「サーバ情報削除」（図示せず）を選択してアクティブにすると、携帯無線端末装置１０内部にインストールされたソフトウエア（図示せず）によって、受信メールにおける不要なサーバ情報のデータ部分を、完全に削除することができる。
【００３１】
即ち、上記表示処理と同様に、サーバ情報が付加されているかどうかを、サーバ情報付加領域を見て判断するため、サーバ情報付加領域を削除するか否かを設定によって決めることで実現できる。したがって、受信メールを保存する際に、不要なデータ（サーバ情報）を記録する必要がなく、携帯無線端末装置１０内のメモリ容量の節約ができる。なお、前記サーバ情報削除部は、「サーバ情報表示設定」画面４０９以外の別の画面上に設けてもよい。
【００３２】
サーバ情報の非表示について、図５を用いて更に詳細に説明する。図５において、受信メール表示画面５０１は、図４に示す受信メール表示画面４００と同じである。受信したメールの初回表示時は、受信メール表示画面５０２に示すように、送信者情報表示領域４０１、サーバ情報付加領域４０２、ユーザデータ表示領域（メールメッセージ表示）４０３、および画面制御領域４０４が表示され、サーバ情報付加領域４０２が付加された状態で表示される。この状態で、本来のメッセージ内容を見るには、画面を上方にスクロールしなければならない。しかし、２回目以降の表示時には、受信メール表示画面５０３のように、送信者情報表示領域４０１、ユーザデータ表示領域（メールメッセージ表示）４０３、および画面制御領域４０４のように表示され、サーバ情報付加領域４０２が削除され、メッセージとして本来のユーザデータ表示領域（メールメッセージ表示）４０３のみを示した受信メール表示画面が表示されるようになる。したがって、メールサーバからの情報を不必要に見なくて済み、画面をスクロールする手間が省け、容易に本来のメッセージ閲覧をすることが可能になる。
【００３３】
次に、本実施例に係るメールサーバの動作について説明する。図６はメールサーバにおける概略処理フローの一実施例を示すフローチャートである。
【００３４】
まず、メールサーバがユーザ（携帯無線端末装置）からのメールを受信すると（ステップ６０１）、送信元のアドレスを確認する（ステップ６０２）。次に、送信元のアドレスによって迷惑メールかどうかを判定する（ステップ６０３）。判定の結果、迷惑メールであることが判明した場合（Ｙｅｓ）には、ステップ６０４に進む。ステップ６０４では、受信したメールはサーバ内の格納エリアに格納されることになる。サーバ内の格納エリアは、ユーザ毎に指定され、一定量が確保されている。そして、ステップ６０４で、設定された格納エリアに空き容量があるかを判定する。空き容量がある場合（Ｎｏ）は、受信したメールを格納エリアに格納し（ステップ６０５）、容量不足を示すフラグをＯＦＦにする（ステップ６０６）。格納エリアの空き容量が不足している場合（Ｙｅｓ）は、既に格納されている最も古いメールを削除し、今回の受信メールを格納する（ステップ６０７）。そして、容量不足を示すフラグをＯＮにする（ステップ６０８）。
【００３５】
また、上記の迷惑メール判定（ステップ６０３）で、受信したメールが迷惑メールでないと判断された場合（Ｎｏ）は、ステップ６０９へ進む。ステップ６０９では、メールサーバにメールを格納することなくユーザへ送信する。その際、ユーザに知らせるサーバ情報があるか確認する。ここで、サーバ情報とは、前述と同様に、サーバ情報付加領域４０２に表示するサーバ情報を意味する。ユーザに知らせるサーバ情報がない場合（Ｎｏ）は、そのまま通常のメール送信処理を行う（ステップ６１１）。しかし、ユーザにサーバ情報を知らせる必要がある場合（Ｙｅｓ）には、ユーザへ送信するメールの先頭に、サーバ情報を付加する処理を行い（ステップ６１０）、その後にメール送信処理を行う（ステップ６１１）。
【００３６】
次に、本実施例に係る携帯無線端末装置１０側の動作について説明する。図７は、携帯無線端末装置１０における概略処理フローの一実施例を示すフローチャートである。
【００３７】
他の携帯無線端末装置等からのメールを受信した場合等に、ユーザは、受信メールの一覧を表示部１６に表示し（ステップ７００）、一覧表示の中から表示させたいメールを選択する（ステップ７０１）。メールを選択したら、ステップ７０２に進む。ステップ７０２で＜確定＞ボタン（図示せず）を押すと（Ｙｅｓ）、ステップ７０３に進む。＜確定＞ボタン（図示せず）を押下しない場合は、ステップ７０１に戻る。ステップ７０３では、指定したメールが初回表示（初回表示フラグ＝ＯＮ）であるか判定する。初回表示である場合は（Ｙｅｓ）、選択した受信メールがそのまま表示され（ステップ７０４）、初回表示フラグ（選択メールの表示状態を示すフラグ）がＯＦＦに設定される（ステップ７０５）。初回表示フラグは、新規メール受信の際に、携帯無線端末装置１０内の内部データとしてＯＮに設定される。この初回表示のときに、受信メールに付加されるサーバ情報があれば、サーバ情報付加領域４０２に表示するサーバ情報として携帯無線端末装置１０に伝えられる。
【００３８】
上記（ステップ７０３）の初回表示判定で、選択したメールの表示が２回目以降の場合（Ｎｏ）には、サーバ情報表示フラグがＯＦＦかどうかを判断する（ステップ７０６）、ステップ７０６で、サーバ情報表示フラグがＯＦＦでない場合（Ｎｏ）、ステップ７０４に進む。ステップ７０６で、サーバ情報表示フラグがＯＦＦの場合（Ｙｅｓ）、ステップ７０７に進む。ステップ７０７では、メールにサーバ情報が付加されているかどうかを判定する。判定の結果、メールにサーバ情報が付加されている場合（Ｙｅｓ）、携帯無線端末装置１０のサーバ情報表示処理部１４ａによって、サーバ情報を表示しないように設定し（ステップ７０８）、あるいは、サーバ情報を削除し、携帯無線端末装置１０内の内部データとして記憶部１５に記録される。その後、受信メールを通常の方法で表示する（ステップ７０９）。
【００３９】
次に、メールを表示した後、そのメールに対して返信するステップ７１０に進む。返信するステップ７１０において、図５の画面制御領域４０４の＜返信＞ボタンを押されると（Ｙｅｓ）、メールの送信元への返信処理を行う（ステップ７１１）。また、画面制御領域４０４の＜返信＞ボタンではなく（Ｎｏ）、＜メニュー＞ボタンが押された場合には（ステップ７１２）、各メニュー別の処理を実行する（ステップ７１３）。各機能の処理は、＜終了＞ボタン（図示せず）が押されるまで繰返される（ステップ７１４）。また、メール表示時に、＜戻る＞ボタン（図示せず）が押された場合（ステップ７１５）と、＜終了＞ボタンが押された場合（ステップ７１６）は、処理を終了する。
【００４０】
以上、詳細に説明したように、初回のメール表示時は、携帯無線端末装置１０のサーバ情報付加領域４０２に、サーバ情報が受信メールに付加されて表示されるが、２回目以降の表示時には、携帯無線端末装置１０の受信メール表示画面５０３にサーバ情報が表示される事がなくなる。更には、受信メールからサーバ情報を完全に削除した場合、登録するメールデータ内に不要なサーバ情報が残らない。
【００４１】
以上のように、本発明の携帯無線端末装置は、受信メールの再表示のときに、メールサーバからの情報を不必要に見なくて済み、画面をスクロールする手間が省け、容易に本来のメッセージ閲覧をすることが可能になる。また、受信メールからサーバ情報を完全に削除すれば、受信メールを保存する際に、不要なデータ（サーバ情報）を記録する必要がなく、携帯無線端末内のメモリ容量の節約ができる。
【００４２】
以上、本発明による携帯無線端末装置を好適な実施の形態に基づいて説明してきたが、本発明は上記実施の形態によって限定的に解釈されるものではない。すなわち、本発明はその趣旨、主要な特徴から逸脱しない範囲において、種々の変更および様々な形態での実施が可能である。
【図面の簡単な説明】
【００４３】
【図１】従来の携帯無線システムの構成の一例を示す概略図である。
【図２】従来の携帯無線システムにおけるメールサーバの構成の一例を示すブロック図である。
【図３】本発明による携帯無線端末装置の一実施例の概略構成を示すブロック図である。
【図４】本発明による受信メール表示画面およびサーバ情報表示設定画面の一実施例を示す概略図である。
【図５】本発明の動作を説明するための受信メール表示画面の一実施例を示す概略図である。
【図６】本発明によるメールサーバ側の概略処理フローの一実施例を示すフローチャートである。
【図７】本発明による携帯無線端末側の概略処理フローの一実施例を示すフローチャートである。
【符号の説明】
【００４４】
１０…携帯無線端末、１１…アンテナ、１２…無線部、１３…操作部、１４…制御部、１４a…サーバ情報表示処理部、１５…記憶部、１６…表示部、１７…スピーカ、１８…マイク、３０…ネットワーク、４０…メールサーバ、４１…送受信部、４２…制御部、４３…記憶部、４００…受信メール表示画面、４０６…サーバ情報表示部、４０９…「サーバ情報表示設定」画面。
【図１】
2010068337.tif 000003
【図２】
2010068337.tif 000004
【図３】
2010068337.tif 000005
【図４】
2010068337.tif 000006
【図５】
2010068337.tif 000007
【図６】
2010068337.tif 000008
【図７】
2010068337.tif 000009